(57)【要約】      （修正有）【課題】画面出力方向及び画面出力類型を多様化し、画面具現の視認性を高めることができる画面方向切り替え可能な透明ディスプレイ装置を提供する。【解決手段】透明な材質のガラス基板及びガラス基板の内側に装着され、映像信号を出力する映像出力手段を含んで構成される透明ディスプレイ部１１０と；透明ディスプレイ部の前方に位置し、一端にＬＥＤ照明を備え、ＬＥＤ照明の光源を注入して透明ディスプレイ部の前方に向かう偏光機能を実行可能な第１偏光源部１２０と；透明ディスプレイ部の後方に位置し、一端にＬＥＤ照明を備え、ＬＥＤ照明の光源を注入して透明ディスプレイ部の後方に向かう偏光機能を実行可能な第２偏光源部１３０と；透明ディスプレイ部と共に第１偏光源部及び前記第２偏光源部をそれぞれオン／オフするように電源を印加して、前後両方向での画面出力状態をモード別に設定できるように制御信号を印加する設定制御部１４０と；を含む。【選択図】図１
2018072791.tif 000002
【特許請求の範囲】
【請求項１】
透明な材質のガラス基板、及び前記ガラス基板の内側に装着され、映像信号を出力する映像出力手段を含んで構成される透明ディスプレイ部と、
前記透明ディスプレイ部の前方に位置し、一端にＬＥＤ照明を備え、前記ＬＥＤ照明の光源を注入して前記透明ディスプレイ部の前方に向かう偏光機能を実行可能に構成する第１偏光源部と、
前記透明ディスプレイ部の後方に位置し、一端にＬＥＤ照明を備え、前記ＬＥＤ照明の光源を注入して前記透明ディスプレイ部の後方に向かう偏光機能を実行可能に構成する第２偏光源部と、
前記透明ディスプレイ部と共に前記第１偏光源部及び前記第２偏光源部をそれぞれオン／オフするように電源を印加して、前後両方向での画面出力状態をモード別に設定できるように制御信号を印加する設定制御部とを備える
ことを特徴とする画面方向切り替え可能な透明ディスプレイ装置。
【請求項２】
前記第１偏光源部及び前記第２偏光源部には、それぞれ前記透明ディスプレイ部に対応して位置し、側端部に複数個のＬＥＤ照明が設置される偏光板部材を含み、
前記偏光板部材は、透明なポリメチルメタクリレート材質からなる
請求項１に記載の画面方向切り替え可能な透明ディスプレイ装置。
【請求項３】
前記設定制御部では、前記透明ディスプレイ部にオン又はオフを操作設定して、前記第１偏光源部及び前記第２偏光源部による前後の画面出力状態を透視または遮光モードに選択可能にする
請求項１に記載の画面方向切り替え可能な透明ディスプレイ装置。
【請求項４】
前記設定制御部では、前記透明ディスプレイ部がオン状態である透視モードで、前記第１偏光源部をオン状態に設定すると共に、前記第２偏光源部をオフ状態に設定して、前記第１偏光源部の偏光機能による前記透明ディスプレイ部の後方での画面出力状態に設定切り替えを行い、前記透明ディスプレイ部がオン状態である透視モードで、前記第１偏光源部をオフ状態に設定すると共に、前記第２偏光源部をオン状態に設定して、前記第２偏光源部の偏光機能による前記透明ディスプレイ部の前方での画面出力状態に設定切り替えを行う
請求項３に記載の画面方向切り替え可能な透明ディスプレイ装置。
【請求項５】
前記設定制御部では、前記透明ディスプレイ部がオン状態である透視モードで、前記第１偏光源部及び前記第２偏光源部をいずれもオン状態に設定して、前記透明ディスプレイ部の前後両方向を照明モードに設定切り替えを行う
請求項３に記載の画面方向切り替え可能な透明ディスプレイ装置。
【請求項６】
前記設定制御部では、前記透明ディスプレイ部がオフ状態である遮光モードで、前記第１偏光源部をオフ状態に設定すると共に、前記第２偏光源部をオン状態に設定して、前記第１偏光源部側を遮光モードに維持すると同時に、前記第２偏光源部側を照明モードに設定切り替えを行い、前記透明ディスプレイ部がオフ状態である遮光モードで、前記第１偏光源部をオン状態に設定すると共に、前記第２偏光源部をオフ状態に設定して、前記第１偏光源部側を照明モードに設定切り替えを行うと同時に、前記第２偏光源部側を遮光モードに維持する
請求項３に記載の画面方向切り替え可能な透明ディスプレイ装置。
【請求項７】
前記設定制御部では、前記透明ディスプレイ部がオフ状態である遮光モードで、前記第１偏光源部及び前記第２偏光源部をいずれもオン状態に設定して、前後両側を照明モードに設定切り替えを行う
請求項３に記載の画面方向切り替え可能な透明ディスプレイ装置。
【発明の詳細な説明】
【技術分野】
【０００１】
本発明は、画面方向切り替えを具現可能な透明ディスプレイ装置に関し、詳細には、ディスプレイ画面が前後の偏光設定を通じて選択的に切り替わることによって、ディスプレイ画面の出力類型を弾力的に変更しながら、昼／夜間又は周辺環境に合わせて非常に効率的に具現することができる画面方向切り替え可能な透明ディスプレイ装置に関する。
【背景技術】
【０００２】
一般に、テレビやモニタ、携帯電話、ナビゲーション、ノートパソコンなどのように情報を入出力するようにした電子機器には、入力されたデータ信号による処理結果や情報を視覚的に表示する様々な形態のディスプレイ装置を適用して使用する。さらに、窓やショーケース冷蔵庫のドア、陳列棚などのように、透明であることで後方の客体が見えるようにした透明ガラスにも様々な映像情報を表示できるように構成される透明ディスプレイ装置に対する技術が盛んに研究されている。
【０００３】
しかし、既存の透明ディスプレイ装置の場合、使用時に周辺背景とイメージが重なるため、透明ディスプレイ装置から具現される映像の視認性が低下することは勿論、後方の客体、すなわち、周辺背景の視認性もまた低下するという問題があった。
【０００４】
前記のような問題点を解決するために開示されていた従来技術として特許文献１には、透明材質で形成された素子を用いて映像をディスプレイする映像表示部と、前記映像表示部の下部に結合されるブラインドパネルとを含み、前記ブラインドパネルは、前記映像表示部を通過した後、前記ブラインドパネル側に照射される光のうち可視光帯域の光を透過させたり、または前記映像表示部側に反射させることによって、可視光帯域の光を選択的に透過又は反射させるため、出力映像と周辺背景とのイメージの重畳を防止し、視認性を向上させることを特徴とする透明ディスプレイ装置が公知されている。
【０００５】
また、特許文献２には、鏡の機能を有する透明プラズマディスプレイパネルにおいて、上部パネル、及び前記上部パネルと共に一つのセルを構成する下部パネルを含み、前記下部パネルは、透明隔壁の間に配置される透明蛍光体層と、前記透明蛍光体層の下に配置され、前記透明蛍光体層と金属ナノフィルムとの直接接触を防止する誘電体スペーサー層と、前記誘電体スペーサー層の下に形成され、前記透明プラズマディスプレイパネルが映像を表示しないとき、前記鏡の機能を行い、前記透明プラズマディスプレイパネルが映像を表示するとき、表面プラズモン共鳴を発生して前記透明蛍光体層の発光強度を増加させる機能を行う金属ナノフィルムとを含んで構成されることによって、発光強度及び発光効率を向上させることができることを特徴とする透明プラズマディスプレイパネルが公知されている。
【０００６】
しかし、前記の従来のディスプレイ装置のうち特許文献１の場合には、光を透過または反射してディスプレイされる映像及び周辺の背景のいずれか一方にのみ選択的に集中するため、従来のようにディスプレイ装置に向かって照射される光をそのまま透過させる場合、昼間には画面上にディスプレイされる映像を全く確認することができず、逆に、光を反射させる場合には、透明ガラスとしての機能を失ってしまい、後方の周辺背景が全く見えないという問題があった。
【０００７】
また、特許文献２では、映像表示の有無に応じて鏡機能またはディスプレイ機能のみが選択的に行われるため、パネル上に映像を出力する過程で周辺、特にパネルの後面から光の影響を受けてしまい、パネル上に出力される映像イメージが明確に出力されないという問題があった。
【０００８】
したがって、透明ディスプレイ装置による様々な類型の機能が効果的に発揮されると共に、周辺環境の変化に合わせたディスプレイの画面具現を図ることができる技術が早急に要求されているのが実情である。
【先行技術文献】
【特許文献】
【０００９】
【特許文献１】大韓民国特許庁の登録特許公報第１２７２４９８号（２０１３．０６．０３．）
【特許文献２】大韓民国登録特許公報第１２２２８５３号（２０１３．０１．１０．）
【発明の概要】
【発明が解決しようとする課題】
【００１０】
本発明は、上記のような問題点を解決するためのものであり、透明ディスプレイの前後に偏光機能を行うことができる偏光源手段と共に、ディスプレイ及び偏光源手段をオン／オフする制御手段を用いて画面出力モードを選択的に切替設定できるように構成することによって、画面出力方向及び画面出力類型を多様化することは勿論、画面具現の視認性を高めることができる画面方向切り替え可能な透明ディスプレイ装置を提供することを課題とする。
【課題を解決するための手段】
【００１１】
本発明が提供する画面方向切り替え可能な透明ディスプレイ装置は、透明な材質のガラス基板、及び前記ガラス基板の内側に装着され、映像信号を出力する映像出力手段を含んで構成される、透明ディスプレイ部と；前記透明ディスプレイ部の前方に位置し、一端にＬＥＤ照明を備え、前記ＬＥＤ照明の光源を注入して前記透明ディスプレイ部の前方に向かう偏光機能を実行可能に構成する第１偏光源部と；前記透明ディスプレイ部の後方に位置し、一端にＬＥＤ照明を備え、前記ＬＥＤ照明の光源を注入して前記透明ディスプレイ部の後方に向かう偏光機能を実行可能に構成する第２偏光源部と；前記透明ディスプレイ部と共に前記第１偏光源部及び前記第２偏光源部をそれぞれオン／オフするように電源を印加して、前後両方向での画面出力状態をモード別に設定できるように制御信号を印加する設定制御部と；を備える。
【００１２】
前記第１偏光源部及び前記第２偏光源部には、それぞれ前記透明ディスプレイ部に対応して位置し、側端部に複数個のＬＥＤ照明が設置される偏光板部材を含み、前記偏光板部材は、透明なポリメチルメタクリレート（ＰＭＭＡ；ｐｏｌｙ  ｍｅｔｈｙｌ  ｍｅｔｈａｃｒｙｌａｔｅ）材質からなる。
【００１３】
前記設定制御部では、前記透明ディスプレイ部にオン（ＯＮ）又はオフ（ＯＦＦ）を操作設定して、前記第１偏光源部及び前記第２偏光源部による前後の画面出力状態を透視または遮光モードに選択可能にする。
【００１４】
前記設定制御部では、前記透明ディスプレイ部がオン（ＯＮ）状態である透視モードで、前記第１偏光源部をオン（ＯＮ）状態に設定すると共に、前記第２偏光源部をオフ（ＯＦＦ）状態に設定して、前記第１偏光源部の偏光機能による前記透明ディスプレイ部の後方での画面出力状態に設定切り替えを行い、前記透明ディスプレイ部がオン（ＯＮ）状態である透視モードで、前記第１偏光源部をオフ（ＯＦＦ）状態に設定すると共に、前記第２偏光源部をオン（ＯＮ）状態に設定して、前記第２偏光源部の偏光機能による前記透明ディスプレイ部の前方での画面出力状態に設定切り替えを行うように構成する。
【００１５】
前記設定制御部では、前記透明ディスプレイ部がオン（ＯＮ）状態である透視モードで、前記第１偏光源部及び前記第２偏光源部をいずれもオン（ＯＮ）状態に設定して、前記透明ディスプレイ部の前後両方向を照明モードに設定切り替えを行うように構成する。
【００１６】
前記設定制御部では、前記透明ディスプレイ部がオフ（ＯＦＦ）状態である遮光モードで、前記第１偏光源部をオフ（ＯＦＦ）状態に設定すると共に、前記第２偏光源部をオン（ＯＮ）状態に設定して、前記第１偏光源部側を遮光モードに維持すると同時に、前記第２偏光源部側を照明モードに設定切り替えを行い、前記透明ディスプレイ部がオフ（ＯＦＦ）状態である遮光モードで、前記第１偏光源部をオン（ＯＮ）状態に設定すると共に、前記第２偏光源部をオフ（ＯＦＦ）状態に設定して、前記第１偏光源部側を照明モードに設定切り替えを行うと同時に、前記第２偏光源部側を遮光モードに維持するように構成する。
【００１７】
前記設定制御部では、前記透明ディスプレイ部がオフ（ＯＦＦ）状態である遮光モードで、前記第１偏光源部及び前記第２偏光源部をいずれもオン（ＯＮ）状態に設定して、前後両側を照明モードに設定切り替えを行うように構成する。
【発明の効果】
【００１８】
本発明に係る画面方向切り替え可能な透明ディスプレイ装置によれば、映像を具現するための透明ディスプレイ部の前後方に、偏光機能を有する第１偏光源部及び第２偏光源部を構成して、前後両方向の画面出力状態をモード別に設定できるように制御するので、前後方の状況に合わせた弾力的なモード設定により様々な画面出力類型を演出することができ、昼夜などの周辺状況に関係なく画面具現の視認性を大幅に向上させることができる効果を得る。
【００１９】
また、透明ディスプレイ部の前後の画面出力状態を透視または遮光モードに選択設定するように構成するので、窓の形態として適用する場合、昼／夜間の状況に合わせて完全な透視環境及び遮光環境を造成すると共に、製品の実用性及び機能性を大幅に向上させることができる効果がある。
【図面の簡単な説明】
【００２０】
【図１】本発明に係る一実施例を概略的に示すブロック図
【図２】本発明に係る一実施例を概略的に示す分解斜視図
【図３】本発明に係る一実施例を示す断面図
【図４】本発明に係る一実施例の使用状態を概略的に示す斜視図
【発明を実施するための形態】
【００２１】
本発明は、透明な材質のガラス基板、及び前記ガラス基板の内側に装着され、映像信号を出力する映像出力手段を含んで構成される、透明ディスプレイ部と；前記透明ディスプレイ部の前方に位置し、一端にＬＥＤ照明を備え、前記ＬＥＤ照明の光源を注入して前記透明ディスプレイ部の前方に向かう偏光機能を実行可能に構成する第１偏光源部と；前記透明ディスプレイ部の後方に位置し、一端にＬＥＤ照明を備え、前記ＬＥＤ照明の光源を注入して前記透明ディスプレイ部の後方に向かう偏光機能を実行可能に構成する第２偏光源部と；前記透明ディスプレイ部と共に前記第１偏光源部及び前記第２偏光源部をそれぞれオン／オフするように電源を印加して、前後両方向での画面出力状態をモード別に設定できるように制御信号を印加する設定制御部と；を含む画面方向切り替え可能な透明ディスプレイ装置を、技術構成の特徴とする。
【００２２】
次に、本発明に係る画面方向切り替え可能な透明ディスプレイ装置の好ましい実施例を、図面を参照して詳細に説明する。
【００２３】
まず、本発明に係る画面方向切り替え可能な透明ディスプレイ装置１００の一実施例は、図１乃至図３に示したように、透明ディスプレイ部１１０、第１偏光源部１２０、第２偏光源部１３０、及び設定制御部１４０を含んでなる。
【００２４】
前記透明ディスプレイ部１１０は、図２及び図３に示したように、複層の基板構造であって、ガラス基板１１１と共に映像出力手段１１５で構成される。
【００２５】
前記透明ディスプレイ部１１０は、前記ガラス基板１１１と映像出力手段１１５が互いに一定の間隔を維持した状態で相互積層構造をなすように構成する。
【００２６】
前記ガラス基板１１１は、板状からなり、透明なガラス材質を使用して構成する。
【００２７】
前記ガラス基板１１１には、前／後面のうち少なくともいずれか一方の面の縁部に暗い色の系列（例えば、黒色など）のセル１１２を蒸着またはシルクスクリーン印刷して一定のパターンを有するように形成することが可能である。
【００２８】
前記のセル１１２は、前記ガラス基板１１１の表面にＯＣＡ（ｏｐｔｉｃａｌｌｙ  ｃｌｅａｒ  ａｄｈｅｓｉｖｅ）処理を施すなどの方法を用いて層間接着することが可能である。
【００２９】
前記のようにガラス基板１１１にセル１１２を形成する場合、画面の鮮明度を高め、ＯＣＡ処理によって形成することによって光を９７％以上透過させるため、まるでガラスのような機能を行うことが可能である。
【００３０】
前後に配置された前記ガラス基板１１１の間には、互いに一定の間隔を置いて配置され得るように連結する間隙部材１１６を構成する。
【００３１】
前記間隙部材１１６は、前記ガラス基板１１１の間にそれぞれ互いに対応する面の縁部に沿って接するように設置され、前記間隙部材１１６は、接触面との相互接着状態を維持できるようにシリコンなどを用いて接着して仕上げることが好ましい。
【００３２】
前記映像出力手段１１５は、前記ガラス基板１１１の内側に装着され、外部から入力される様々な形態の映像信号を出力する機能を行う。
【００３３】
前記映像出力手段１１５は、外部から入力される映像信号を読み出して出力させる構造であって、片方にＰＣＢ基板（図示せず）が設置された液晶セル１１７と共にスペーサー１１８を備えるように構成する。
【００３４】
前記液晶セル１１７には、ＰＣＢ基板に別途の入力デバイスを介して接続して様々な映像信号が入力され得るように構成し、前記設定制御部１４０から電源がオン（ＯＮ）／オフ（ＯＦＦ）され得るように構成する。
【００３５】
前記スペーサー１１８は、シリコン材質からなり、前記ガラス基板１１１同士間で前記液晶セル１１７との距離を維持できるように支持する役割を果たす。
【００３６】
前記第１偏光源部１２０及び前記第２偏光源部１３０は、それぞれ透明光源を生成させて偏光機能を実行可能に構成する。
【００３７】
前記第１偏光源部１２０及び前記第２偏光源部１３０は、図２及び図３に示したように、前記透明ディスプレイ部１１０を基準として前後方にそれぞれ位置するように構成する。より具体的には、前記第１偏光源部１２０は、前記透明ディスプレイ部１１０の前方に位置し、前記第２偏光源部１３０は前記透明ディスプレイ部１１０の後方に位置する。
【００３８】
前記第１偏光源部１２０及び前記第２偏光源部１３０はいずれも、同一に偏光機能を有する構造体をなすが、互いに区分された位置で偏光機能を行うことができるように構成する。すなわち、前記第１偏光源部１２０は、前記透明ディスプレイ部１１０の前方に向かう偏光機能を実行可能に構成し、前記第２偏光源部１３０は、前記透明ディスプレイ部１１０の後方に向かう偏光機能を実行可能に構成する。
【００３９】
前記第１偏光源部１２０及び前記第２偏光源部１３０は、前記透明ディスプレイ部１１０の前後方でそれぞれ透明光源を生成させることができるように構成されるものであって、偏光板部材１２１，１３１及びＬＥＤ照明１２５，１３５で構成される。
【００４０】
前記偏光板部材１２１，１３１は、前記透明ディスプレイ部１１０に対応して位置し、前記偏光板部材１２１，１３１の側端部には複数個のＬＥＤ照明１２５，１３５が設置される。
【００４１】
前記偏光板部材１２１，１３１は、透明なプラスチック系列であって、機械的強度が高く、変形せず、軽量で、耐化学性に優れることは勿論、何よりも可視光線に対する透過率に優れた、ポリメチルメタクリレート（ＰＭＭＡ；ｐｏｌｙ  ｍｅｔｈｙｌ  ｍｅｔｈａｃｒｙｌａｔｅ）材質を使用して構成する。
【００４２】
図示していないが、前記偏光板部材１２１，１３１の表面には、前記ＬＥＤ照明１２５，１３５の光源から放出された光線が全面に均一な分布をなすように、光源の光線を散乱させるコーティング層を形成する。すなわち、前記偏光板部材１２１，１３１では前記ＬＥＤ照明１２５，１３５によって偏光源照明機能を行うようになるため、前記偏光板部材１２１，１３１自体の透明度を変更するようになる。
【００４３】
前記偏光板部材１２１，１３１のコーティング層は、粒子サイズが５０〜８０ｎｍである光散乱剤をスクリーン印刷してコーティングする。
【００４４】
前記ＬＥＤ照明１２５，１３５は、前記偏光板部材１２１，１３１の側面の周りに沿って複数個の照明源が配列された構造で装着される。
【００４５】
前記ＬＥＤ照明１２５，１３５は、前記偏光板部材１２１，１３１に向かって光源を注入させるように発光する構造であって、前記設定制御部１４０からオン（ＯＮ）／オフ（ＯＦＦ）を操作できるように構成することは勿論、前記設定制御部１４０を介して前記ＬＥＤ照明１２５，１３５の光量を調節できるように形成する。
【００４６】
例えば、前記第１偏光源部１２０及び前記第２偏光源部１３０は、前記設定制御部１４０で前記ＬＥＤ照明１２５，１３５をオン（ＯＮ）操作することによって前記偏光板部材１２１，１３１上に偏光源照明機能を行い、前記ＬＥＤ照明１２５，１３５をオフ（ＯＦＦ）操作することによって前記偏光板部材１２１，１３１が視感的に完全に透明になる。
【００４７】
前記第１偏光源部１２０及び前記第２偏光源部１３０には、それぞれ前記偏光板部材１２１，１３１の側面の周りに沿って延長形成され、前記ＬＥＤ照明１２５，１３５を取り囲んで照明空間を区分して収容することができる照明フレーム１２７，１３７を構成するので、前記ＬＥＤ照明１２５，１３５の光源が前記偏光板部材１２１，１３１にのみ集中して照射されることによって、光源の損失を最小化することができる。
【００４８】
前記設定制御部１４０は、図１に示したように、前記透明ディスプレイ部１１０と共に前記第１偏光源部１２０及び前記第２偏光源部１３０に互いに区分された制御信号を印加する機能を行う。
【００４９】
前記設定制御部１４０は、前記透明ディスプレイ部１１０、前記第１偏光源部１２０及び前記第２偏光源部１３０をそれぞれ区分してオン（ＯＮ）／オフ（ＯＦＦ）するように電源を印加するため、装置の前後両方向での画面出力状態をモード別に設定できるように制御信号を印加する。
【００５０】
前記設定制御部１４０でモード設定のための制御信号を印加するために、最も基本的なモード選択のために前記透明ディスプレイ部１１０に制御信号を印加するように備えられるメイン設定手段１４１と、前後両方向に区分された類型の細部的なモード選択のために、前記第１偏光源部１２０及び前記第２偏光源部１３０に制御信号を印加するように備えられるサブ設定手段１４５とを構成する。
【００５１】
前記設定制御部１４０では、前記メイン設定手段１４１を介して前記透明ディスプレイ部１１０を制御して、画面出力の有無による透視または遮光モードに選択設定可能に構成する。より具体的に、前記設定制御部１４０では、前記メイン設定手段１４１から前記透明ディスプレイ部１１０にオン（ＯＮ）又はオフ（ＯＦＦ）を操作設定して、前記第１偏光源部１２０及び前記第２偏光源部１３０による前後の画面出力状態を透視または遮光モードに選択可能にする。
【００５２】
例えば、前記メイン設定手段１４１を介して前記透明ディスプレイ部１１０をオン（ＯＮ）に操作すると、前後が透明な状態で両方向に画面が出力される透視モードが設定され、前記メイン設定手段１４１を介して前記透明ディスプレイ部１１０をオフ（ＯＦＦ）に操作すると、前後方が不透明な状態である遮光モードが設定される。
【００５３】
前記設定制御部１４０では、前記メイン設定手段１４１による透視または遮光モードで、前記サブ設定手段１４５を介して、それぞれ区分された機能が発揮され得るように細部的な出力モードを設定することができる。
【００５４】
前記設定制御部１４０では、前記透明ディスプレイ部１１０がオン（ＯＮ）状態である透視モードで、一般的な両方向への透視モードに基づいて画面選択的視聴モード及び照明モードのうち選択的に設定切り替えが可能なように構成する。
【００５５】
前記設定制御部１４０は、画面選択的視聴モードの場合、前記透明ディスプレイ部１１０から両方向に向かう画面出力状態である一般的な透視モードで、前記第１偏光源部１２０及び前記第２偏光源部１３０のオン（ＯＮ）又はオフ（ＯＦＦ）に応じて前方または後方への一方向の画面出力状態に設定切り替えが可能である。より具体的には、前記サブ設定手段１４５を介して、前記第１偏光源部１２０をオン（ＯＮ）状態に設定すると共に、前記第２偏光源部１３０をオフ（ＯＦＦ）状態に設定して、前記第１偏光源部１２０の偏光機能による前記透明ディスプレイ部１１０の後方での画面出力状態に設定切り替えを行い、前記サブ設定手段１４５を介して、前記透明ディスプレイ部１１０がオン（ＯＮ）状態である透視モードで、前記第１偏光源部１２０をオフ（ＯＦＦ）状態に設定すると共に、前記第２偏光源部１３０をオン（ＯＮ）状態に設定して、前記第２偏光源部１３０の偏光機能による前記透明ディスプレイ部１１０の前方での画面出力状態に設定切り替えを行うことが可能である。
【００５６】
前記で設定制御部１４０から画面選択的視聴モードを設定して一方向に画面出力される場合、すなわち、前記第１偏光源部１２０又は前記第２偏光源部１３０がオン（ＯＮ）状態で偏光機能を発揮して、前記透明ディスプレイ部１１０から出力される映像の優れた視認性を確保するようになる。
【００５７】
前記設定制御部１４０では、前記透明ディスプレイ部１１０がオン（ＯＮ）状態である透視モードで照明モードの場合、前記第１偏光源部１２０及び前記第２偏光源部１３０をいずれもオン（ＯＮ）状態に設定して達成する。すなわち、前記第１偏光源部１２０及び前記第２偏光源部１３０をいずれもオン（ＯＮ）状態に設定すると、前後両方向で偏光機能が発揮されて視感的遮光状態をなすので、前記透明ディスプレイ部１１０の前後両方向が照明状態を維持するようになる。
【００５８】
また、前記設定制御部１４０では、前記透明ディスプレイ部１１０がオフ（ＯＦＦ）状態である遮光モードで、一般的な両方向への遮光モードに基づいて一方向照明モード及び両方向照明モードのうち選択的に設定切り替えが可能なように構成する。
【００５９】
前記で設定制御部１４０による一般的な両方向遮光モードの場合、前記第１偏光源部１２０及び第２偏光源部１３０がいずれもオフ（ＯＦＦ）に設定された物理的な遮光モードを意味する。
【００６０】
前記設定制御部１４０では、前記メイン設定手段１４１による前記透明ディスプレイ部１１０の遮光モードのうち、前記サブ設定手段１４５の操作で設定された一方向照明モードの場合には、前記第１偏光源部１２０及び前記第２偏光源部１３０のオン（ＯＮ）又はオフ（ＯＦＦ）に応じて前方または後方への照明状態に設定切り替えを行うことができる。より具体的には、前記サブ設定手段１４５を介して、前記第１偏光源部１２０をオフ（ＯＦＦ）状態に設定すると共に、前記第２偏光源部１３０をオン（ＯＮ）状態に設定して、前記第１偏光源部１２０側を遮光モードに維持すると同時に、前記第２偏光源部１３０側（後方側）を照明モードに設定切り替えを行い、前記サブ設定手段１４５を介して、前記透明ディスプレイ部１１０がオフ（ＯＦＦ）状態である遮光モードで、前記第１偏光源部１２０をオン（ＯＮ）状態に設定すると共に、前記第２偏光源部１３０をオフ（ＯＦＦ）状態に設定して、前記第１偏光源部１２０側（前方側）を照明モードに設定切り替えを行うと同時に、前記第２偏光源部１３０側を遮光モードに維持するように設定切り替えを行うことができる。
【００６１】
前記設定制御部１４０では、前記透明ディスプレイ部１１０がオフ（ＯＦＦ）状態である遮光モードで両方向照明モードの場合、前記第１偏光源部１２０及び前記第２偏光源部１３０をいずれもオン（ＯＮ）状態に設定して、前後両側が照明されるように設定切り替えを行う。
【００６２】
上記のように構成される本発明に係る画面方向切り替え可能な透明ディスプレイ装置１００は、図４に示したように、透明ディスプレイ装置１００を窓枠Ｆに装着して建物の壁面に様々な構造で適用できる窓型透明ディスプレイ装置１００を提供できるように構成するので、室内または室外の両方向へ画面方向を切り替えることによって、様々な類型に具現することが可能である。
【００６３】
すなわち、上記のように構成される本発明に係る画面方向切り替え可能な透明ディスプレイ装置によれば、映像を具現するための透明ディスプレイ部１１０の前後方に、偏光機能を有する第１偏光源部１２０及び第２偏光源部１３０を構成して、前後両方向の画面出力状態をモード別に設定できるように制御するので、前後方の状況に合わせた弾力的なモード設定により様々な画面出力類型を演出することができ、昼夜などの周辺状況に関係なく画面具現の視認性を大幅に向上させることができる。
【００６４】
それだけでなく、本発明は、透明ディスプレイ部の前後の画面出力状態を透視または遮光モードに選択設定するように構成するので、窓の形態として適用する場合、昼／夜間の状況に合わせて完全な透視環境及び遮光環境を造成すると共に、製品の実用性及び機能性を大幅に向上させることができる。
【００６５】
以上では、本発明に係る画面方向切り替え可能な透明ディスプレイ装置の好ましい実施例について説明したが、本発明は、これに限定されるものでなく、従来公知技術を援用して適宜設計変更可能である。
【符号の説明】
【００６６】
１００    透明ディスプレイ装置
１１０    透明ディスプレイ部
１１１    ガラス基板
１１２    セル
１１５    映像出力手段
１１６    間隙部材
１１７    液晶セル
１１８    スペーサー
１２０    第１偏光源部
１３０    第２偏光源部
１２１，１３１    偏光板部材
１２５，１３５    ＬＥＤ照明
１４０    設定制御部
１４１    メイン設定手段
１４５    サブ設定手段
Ｆ    窓枠
【図１】
2018072791.tif 000003
【図２】
2018072791.tif 000004
【図３】
2018072791.tif 000005
【図４】
2018072791.tif 000006